(57)【特許請求の範囲】
【請求項１】
楽器本体の左右の腕木の間に配置された鍵盤を含む演奏部を開閉する鍵盤楽器の鍵盤蓋装置であって、
互いに回動自在に連結された前蓋および後蓋を有し、前記左右の腕木の間に配置され、前記演奏部を開放する開放位置と前記演奏部を閉鎖する閉鎖位置との間で前後方向にスライド自在の鍵盤蓋と、
前記左右の腕木の内側面にそれぞれ設けられ、前後方向に延び、上面または下面に複数の歯を有する第１ラックと、
前記後蓋の左右の端部に前後方向に沿ってそれぞれ設けられ、下面または上面に、前記第１ラックの前記複数の歯に上下方向に対向する複数の歯を有する第２ラックと、
左右方向に延び、前記後蓋に回転自在かつ前後方向に移動自在に取り付けられた回転軸と、
当該回転軸の左右の端部にそれぞれ一体に設けられ、前記第１ラックと前記第２ラックの間に配置され、それぞれ前記回転軸の長さ方向に沿って配置された第１ピニオンおよび第２ピニオンを有し、前記第１ピニオンが前記第１ラックに噛み合い、前記第２ピニオンが前記第２ラックに噛み合う回転体と、
を備えることを特徴とする鍵盤楽器の鍵盤蓋装置。
【請求項２】
前記第２ラックは、前記後蓋の前後方向の全体にわたって配置されていることを特徴とする、請求項１に記載の鍵盤楽器の鍵盤蓋装置。
【請求項３】
前記第１ピニオンの径と前記第２ピニオンの径との比は、前記第１ラックの長さと前記第２ラックの長さとの比にほぼ等しく、前記鍵盤蓋は、前記閉鎖位置に位置するときに、前記第２ラックの後端部が前後方向において前記第１ラックの前端部とほぼ同じ位置に位置するように配置されていることを特徴とする、請求項２に記載の鍵盤楽器の鍵盤蓋装置。
【請求項４】
前記後蓋の後側の左右の端部から側方に突出する後ガイド突起をさらに備え、
前記左右の腕木には、前記後ガイド突起に係合し、前記鍵盤蓋が前記開放位置に近づくにつれて、前記後蓋を下方に案内する後蓋案内溝が形成されていることを特徴とする、請求項１ないし３のいずれかに記載の鍵盤楽器の鍵盤蓋装置。
【請求項５】
前記前蓋の前側の左右の端部から側方に突出する前ガイド突起をさらに備え、
前記左右の腕木には、前後方向に延び、前記前ガイド突起に係合し、当該前ガイド突起を介して前記前蓋を案内する前蓋案内溝が形成されていることを特徴とする、請求項１ないし４のいずれかに記載の鍵盤楽器の鍵盤蓋装置。
【発明の詳細な説明】
【技術分野】
【０００１】
本発明は、楽器本体の左右の腕木の間に配置された鍵盤を含む演奏部を開閉する鍵盤楽器の鍵盤蓋装置に関する。
【背景技術】
【０００２】
従来、この種の鍵盤蓋装置として、例えば特許文献１に開示されたものが知られている。この鍵盤蓋装置は、電子ピアノに適用されたものであり、スライド式の鍵盤蓋を有している。鍵盤蓋は、前蓋および後蓋を有しており、左右の腕木の間に配置され、鍵盤を含む演奏部を開閉する。前蓋と後蓋は、それぞれ左右方向に延びるとともに、互いに回動自在に連結されている。
【０００３】
また、鍵盤蓋は、回転軸、ピニオンおよびラックなどを介して、左右の腕木にスライド自在に支持されている。回転軸は、後蓋の後端部に回転自在に取り付けられており、その左右の端部にはそれぞれピニオンが一体に設けられている。ラックは、左右の腕木の内側面にそれぞれ設けられており、上面に多数の歯を有し、前後方向にほぼ水平に延びる水平部と、その後端から後ろ下がりに傾斜した状態で延びる傾斜部を有している。このラックにピニオンが係合している。
【０００４】
以上の構成により、鍵盤蓋を閉鎖位置から後方に押すと、ピニオンは、ラックに噛み合った状態で回転しながら、ラックの後端まで後方にスライドし、ストッパ壁に当接することによって停止する。その後、鍵盤蓋をさらに後方に押すと、後蓋が下方に回動することにより、鍵盤蓋が、山形に折れ曲がることによって、所定の開放位置まで達し、演奏部を開放する。また、鍵盤蓋を開放位置から前方に引くことにより、上記と逆の動作によって、鍵盤蓋が所定の閉鎖位置まで移動し、演奏部を閉鎖する。
【先行技術文献】
【特許文献】
【０００５】
【特許文献１】特開２００３−３４５３５７号公報
【発明の概要】
【発明が解決しようとする課題】
【０００６】
しかし、この鍵盤蓋装置では、鍵盤蓋を開放する際、鍵盤蓋のスライド動作の後、回動動作を行われるため、鍵盤蓋の開放動作が２アクションになる。鍵盤蓋を閉鎖する際は、上記と逆の動作になる。以上のように鍵盤蓋の開閉動作が２アクションになるため、鍵盤蓋を開閉する際、必要な鍵盤蓋の操作力が変化する結果、鍵盤蓋の開閉動作を容易に行うことができない。
【０００７】
また、鍵盤蓋の開閉動作が２アクションであるため、スライド動作の終了時に、ピニオンがストッパ壁に当接することによって雑音が発生するとともに、回動動作の終了時、後蓋が停止する際にも雑音が発生することによって、雑音が大きくなるおそれがある。
【０００８】
本発明は、以上のような課題を解決するためになされたものであり、鍵盤蓋を容易に開閉でき、開閉時の雑音を抑制することができる鍵盤楽器の鍵盤蓋装置を提供することを目的とする。
【課題を解決するための手段】
【０００９】
上記の目的を達成するために、請求項１に係る発明は、楽器本体の左右の腕木の間に配置された鍵盤を含む演奏部を開閉する鍵盤楽器の鍵盤蓋装置であって、互いに回動自在に連結された前蓋および後蓋を有し、左右の腕木の間に配置され、演奏部を開放する開放位置と演奏部を閉鎖する閉鎖位置との間で前後方向にスライド自在の鍵盤蓋と、左右の腕木の内側面にそれぞれ設けられ、前後方向に延び、上面または下面に複数の歯を有する第１ラックと、後蓋の左右の端部に前後方向に沿ってそれぞれ設けられ、下面または上面に、第１ラックの複数の歯に上下方向に対向する複数の歯を有する第２ラックと、左右方向に延び、後蓋に回転自在かつ前後方向に移動自在に取り付けられた回転軸と、回転軸の左右の端部にそれぞれ一体に設けられ、第１ラックと第２ラックの間に配置され、それぞれ回転軸の長さ方向に沿って配置された第１ピニオンおよび第２ピニオンを有し、第１ピニオンが第１ラックに噛み合い、第２ピニオンが第２ラックに噛み合う回転体と、を備えることを特徴とする。
【００１０】
この鍵盤楽器の鍵盤蓋装置によれば、鍵盤蓋に回転体が設けられており、この回転体は、回転軸の長さ方向に沿って配置された第１ピニオンおよび第２ピニオンを有するダブルピニオン式のものである。鍵盤蓋が閉鎖位置から後方に押されると、回転体は、第１ピニオンが第１ラックに噛み合い、第２ピニオンが第２ラックに噛み合った状態で、回転軸とともに回転しながら後方に移動する。それに伴い、鍵盤蓋が、所定の開放位置までスライドし、演奏部を開放する。また、鍵盤蓋は、開放位置から前方に引かれることにより、上記と逆の動作によって、所定の閉鎖位置までスライドし、演奏部を閉鎖する。
【００１１】
また、鍵盤蓋が第１ラックに沿ってスライドする間に鍵盤蓋の開閉動作が終了するため、鍵盤蓋の開閉動作が１アクションになる。このため、鍵盤蓋をその開放動作の全体にわたってほぼ一定の操作力でスライドさせることができ、鍵盤蓋を容易に開閉することができる。また、鍵盤蓋の開閉動作が１アクションであるため、開閉動作に伴って発生する雑音を抑制することができる。
【００１２】
また、鍵盤蓋を開放する際、回転体は、第１ピニオンが第１ラックに噛み合った状態で、回転しながら後方に移動するのに伴い、第２ピニオンおよびこれに噛み合う第２ラックを介して、鍵盤蓋を後方に駆動し、送り出す。一方、鍵盤蓋を閉鎖する際には、上記と逆の動作により、回転体は、前方に移動するのに伴い、鍵盤蓋を前方に送り出す。このような回転体による鍵盤蓋の送出し長さの分、鍵盤蓋の操作ストロークを短くすることができ、それにより、鍵盤蓋を効率良く開閉することができる。
【００１３】
請求項２に係る発明は、請求項１に記載の鍵盤楽器の鍵盤蓋装置において、後蓋の前後方向の全体にわたって配置されていることを特徴とする。
【００１４】
この構成によれば、第２ラックが後蓋の前後方向の全体にわたって配置されているので、後蓋の前後方向の長さとほぼ等しい鍵盤蓋の送出し長さを得ることができ、鍵盤蓋の送出し機能を効果的に発揮させることができる。
【００１５】
請求項３に係る発明は、請求項２に記載の鍵盤がきっきの鍵盤蓋装置において、第１ピニオンの径と第２ピニオンの径との比は、第１ラックの長さと第２ラックの長さとの比にほぼ等しく、鍵盤蓋は、閉鎖位置に位置するときに、第２ラックの後端部が前後方向において第１ラックの前端部とほぼ同じ位置に位置するように配置されていることを特徴とする。
【００１６】
この構成によれば、鍵盤蓋が閉鎖位置にあるときに、回転体は、第１ラックの前端部および第２ラックの後端部に位置している。この閉鎖位置から鍵盤蓋を開放位置まで移動させると、上述したような第１および第２ピニオンの径の比と第１および第２ラックの長さの比との関係から、回転体は、第１ラックの前端部から後端部に移動するのと同時に、第２ラックの後端部から前端部に移動する。このときの第２ラックに対する回転体の移動距離は、回転体による鍵盤蓋の送出し長さに等しい。以上のように、第２ラックの長さとほぼ等しい鍵盤蓋の送出し長さを得ることができ、第２ラックの長さを最大限に活用しながら、鍵盤蓋の送出し機能をより確実に発揮させることができる。
【００１７】
請求項４に係る発明は、請求項１ないし３のいずれかに記載の鍵盤楽器の鍵盤蓋装置において、後蓋の後側の左右の端部から側方に突出する後ガイド突起をさらに備え、左右の腕木には、後ガイド突起に係合し、鍵盤蓋が開放位置に近づくにつれて、後蓋を下方に案内する後蓋案内溝が形成されていることを特徴とする。
【００１８】
この構成によれば、鍵盤蓋が移動する際、後蓋が、後ガイド突起を介して、後蓋案内溝で案内されることによって、鍵盤蓋の円滑な開閉動作を確保することができる。また、鍵盤蓋を開放する際、鍵盤蓋が開放位置に近づくにつれて、後蓋が、後蓋案内溝で案内され、下方に回動することにより、鍵盤蓋が山形に折れ曲がる。それにより、鍵盤蓋の前後方向の長さが短くなるため、鍵盤蓋をコンパクトに収納することができる。このため、鍵盤蓋の短縮長さ分、鍵盤楽器の前後方向の長さを短くすることができ、鍵盤楽器をコンパクト化することができる。
【００１９】
請求項５に係る発明は、請求項１ないし４のいずれかに記載の鍵盤楽器の鍵盤蓋装置において、前蓋の前側の左右の端部から側方に突出する前ガイド突起をさらに備え、左右の腕木には、前後方向に延び、前ガイド突起に係合し、前ガイド突起を介して前蓋を案内する前蓋案内溝が形成されていることを特徴とする。
【００２０】
この構成によれば、鍵盤蓋が移動する際、前蓋が、前ガイド突起を介して、前蓋案内溝によって案内されるので、鍵盤蓋の円滑な開閉動作を確保することができる。また、前蓋案内溝が前後方向に延びているため、例えば、鍵盤蓋を開放する際、前蓋が誤って上方に持ち上げるように操作された場合でも、鍵盤蓋の動きが前蓋案内溝で規制されることによって、鍵盤蓋の損傷・破損を防止することができる。
【図面の簡単な説明】
【００２１】
【図１】本発明の鍵盤蓋装置を含む電子ピアノを、模式的に示す側断面図である。
【図２】後蓋ガイドの周辺部分を示す部分拡大斜視図である。
【図３】鍵盤蓋を示す斜視図である。
【図４】鍵盤蓋装置のリバースラックブロックおよびダブルピニオンを含む部分を示す部分拡大斜視図である。
【図５】鍵盤蓋装置の動作を説明するための図であり、鍵盤蓋が（ａ）開放位置に位置する状態、（ｂ）開放位置から１／３程度、開放した状態を示す。
【図６】鍵盤蓋装置の動作を説明するための図であり、鍵盤蓋が（ａ）開放位置から２／３程度、開放した状態、（ｂ）開放位置に位置する状態を示す。
【発明を実施するための形態】
【００２２】
以下、図面を参照しながら、本発明の好ましい実施形態を詳細に説明する。図１は、本発明の鍵盤蓋装置を含む電子ピアノ（以下「ピアノ」という）１を示している。この電子ピアノ１は、棚板２上に設けられた左右の腕木３，３（１つのみ図示）と、鍵盤４およびその後方の操作パネル５を含み、腕木３，３の間に配置された演奏部６と、この演奏部６を開閉するための鍵盤蓋装置７を備えている。
【００２３】
各腕木３は、前後方向および上下方向に延びる板状のものであり、その上面は、前部では後ろ上がりに傾斜し、中央部では水平になっており、後部では中央部よりも一段高く水平になっている。腕木３，３の後端部には、これらを上方から覆う、水平な屋根８と、後方から覆う、鉛直な背板９が取り付けられている。これらの左右の腕木３，３、屋根８、背板９および棚板２によって、演奏部６の後方に空間が形成されている。この空間には、スピーカ１０（図２参照）、制御装置および放熱板（いずれも図示せず）などが収容され、それらは棚板２に取り付けられている。また、腕木３，３の前端部間には、左右方向に延びる口棒１１が取り付けられている。
【００２４】
図１〜図３に示すように、鍵盤蓋装置７は、前蓋ガイド２１、後蓋ガイド２２、鍵盤蓋２５、リバースラックブロック３１、回転軸３８およびダブルピニオン３９を備えている。これらのうち、前蓋ガイド２１、後蓋ガイド２２、リバースラックブロック３１およびダブルピニオン３９はいずれも、合成樹脂の成形品によって一体に形成され、左右一対で構成されている。
【００２５】
図１に示すように、前蓋ガイド２１は、各腕木３の内側面の前部の上端部にねじ止めされている。前蓋ガイド２１は、後方に向かって斜め上方に直線的に延びる傾斜部２１ａと、この傾斜部２１ａの前端から下方に若干延びる鉛直部２１ｂと、傾斜部２１ａの後端から後方に若干延びる水平部２１ｃを有している。鉛直部２１ｂは、鉛直に対して後ろ倒れに若干傾斜し、水平部２１ｃは、水平に対して後ろ下がりに若干傾斜している。前蓋ガイド２１には、その長さ方向の全体にわたって、内方に開口する前蓋案内溝２１ｄが形成されている。
【００２６】
後蓋ガイド２２は、各腕木３の内側面の前蓋ガイド２１よりも後ろ側にねじ止めされている（図２参照）。後蓋ガイド２２は、第１ラック２３を備えており、この第１ラック２３は、所定の長さＬ１を有し、後蓋ガイド２２の全体にわたって前後方向に直線的に延びており、その上面には多数の歯２３ａが並設されている。また、後蓋ガイド２２の第１ラック２３よりも下方には、後蓋案内溝２４が形成されている。この後蓋案内溝２４は、前後方向に延びる直線部２４ａと、この直線部２４ａの後端から後ろ下がりに円弧状に湾曲して延びる湾曲部２４ｂで構成されている。
【００２７】
図３に示すように、鍵盤蓋２５は、前後方向および左右方向に延び、一定の厚さを有する板状のものである。また、鍵盤蓋２５は、前蓋２６と、その後ろ側の後蓋２７を備えており、これらの前蓋２６と後蓋２７は、蝶番２８によって回動自在に連結されている。蝶番２８は、鍵盤蓋２５の下面の左右の端部および中央の２箇所に、計４つ配置されている。
【００２８】
また、前蓋２６の前端部には、左右方向に延びるガイドピン取付部２９が取り付けられ、このガイドピン取付部２９の左右の各端部にはさらに、前蓋ガイドピン３０が一体に取り付けられている。ガイドピン取付部２９は、アルミニウムの押出成形品で構成されている。また、前蓋ガイドピン３０は、鍵盤蓋２５の左右の各端部から側方に突出し、前蓋ガイド２１の前蓋案内溝２１ｄに係合している（図１参照）。
【００２９】
図４に示すように、リバースラックブロック３１は、後蓋２７の左右の端部に取り付けられている。また、リバースラックブロック３１は、回転軸案内長孔３２、第２ラック３３、固定部３４およびガイドシャフト取付部３５を有している。回転軸案内長孔３２は、リバースラックブロック３１の左右方向の中央に配置され、左右方向に貫通し、前後方向に延びている。
【００３０】
第２ラック３３は、回転軸案内長孔３２の上壁の外側に並設され、前後方向に延び、その長さＬ２は、後蓋２７の前後方向の長さとほぼ同じであり、第１ラック２３の長さＬ１よりも短い。また、第２ラック３３の下面には、多数の歯３３ａが前後方向に並設されている。この歯３３ａのピッチは、第１ラック２３の歯２３ａのピッチと同じである。
【００３１】
固定部３４は、回転軸案内長孔３２の上壁の内側に並設されており、前後方向に延びる板状のものである。この固定部３４には３つの孔（図示せず）が形成されており、リバースラックブロック３１は、これらの孔に通されたねじ（図示せず）によって、鍵盤蓋２５の下面に固定されている。
【００３２】
ガイドシャフト取付部３５は、リバースラックブロック３１の後ろ側の下部に配置されており、左右方向に貫通するガイドシャフト取付孔３５ａを有している。このガイドシャフト取付孔３５ａには、後蓋ガイドシャフト３６が固定されている（図２参照）。この後蓋ガイドシャフト３６は、ガイドシャフト取付部３５から外方に突出し、後蓋ガイド２２の後蓋案内溝２４に係合している。なお、後蓋２７の後端部の中央部には、ガイドブロック３７が取り付けられている（図３参照）。このガイドブロック３７は、左側用または右側用のリバースラックブロック３１をそのまま用いたものである。
【００３３】
回転軸３８は、リバースラックブロック３１およびガイドブロック３７の回転軸案内長孔３２に通された状態で、左右方向に延びており、リバースラックブロック３１を介して、後蓋２７に回転自在かつ前後方向に移動自在に取り付けられている。
【００３４】
ダブルピニオン３９は、回転軸３８の両端部に取り付けられている。ダブルピニオン３９は、回転軸取付孔４０ａが形成された軸４０を有し、この回転軸取付孔４０ａを介して回転軸３８に固定されている。
【００３５】
また、ダブルピニオン３９は、軸４０の長さ方向に沿って並設された第１ピニオン４１および第２ピニオン４２を有している。第１ピニオン４１は、後蓋ガイド２２の第１ラック２３に載置された状態で噛み合い、第２ピニオン４２は、リバースラックブロック３１の第２ラック３３に噛み合っている。また、第１ピニオン４１の径Ｄ１および歯４１ａの数Ｎ１は、第２ピニオン４２の径Ｄ２および歯４２ａの数Ｎ２よりもそれぞれ大きく、それらの比Ｄ１／Ｄ２（＝Ｎ１／Ｎ２）は、第１ラック２３の長さＬ１と第２ラック３３の長さＬ２との比Ｌ１／Ｌ２にほぼ等しい。
【００３６】
次に、図５および図６を参照しながら、鍵盤蓋装置７による鍵盤蓋２５の開閉動作を説明する。図５（ａ）は、鍵盤蓋２５が閉鎖位置にある状態を示しており、鍵盤蓋２５は、演奏部６を上方から覆い、閉鎖している。また、この閉鎖状態では、第２ラック３３の後端部は、前後方向において第１ラック２３の前端部とほぼ同じ位置に位置しており、この部分にダブルピニオン３９が位置している。さらに、前蓋２６の前蓋ガイドピン３０は、前蓋ガイド２１の鉛直部２１ｂの下縁に当接し、後蓋ガイドシャフト３６は、後蓋案内溝２４の直線部２４ａの前端部に位置している。
【００３７】
この閉鎖状態から、鍵盤蓋２５の前端部をつかみ、若干持ち上げた後、鍵盤蓋２５を後方に押すと、ダブルピニオン３９は、第１ピニオン４１が第１ラック２３に噛み合い、第２ピニオン４２が第２ラック３３に噛み合った状態で、回転軸３８とともに同図の時計方向に回転しながら、後方に移動する。このダブルピニオン３９の移動に伴い、鍵盤蓋２５が後方にスライドし、演奏部６を開放し始める（図５（ｂ）参照）。
【００３８】
このスライドの際、鍵盤蓋２５は、その前側の部分が、前蓋ガイドピン３０を介して前蓋ガイド２１の鉛直部２１ｂおよび傾斜部２１ａによって案内され、後ろ側の部分が、後蓋ガイドシャフト３６を介して後蓋案内溝２４の直線部２４ａによって案内される。
【００３９】
また、ダブルピニオン３９は、第１ピニオン４１が第１ラック２３に噛み合った状態で、回転しながら後方に移動するのに伴い、第２ピニオン４２およびこれに噛み合う第２ラック３３を介して、鍵盤蓋２５を後方に送り出す。
【００４０】
その後、図５（ｂ）に示すように、後蓋ガイドシャフト３６が後蓋案内溝２４の直線部２４ａに位置している間は、鍵盤蓋２５はほぼ平板状に保持される。その後、鍵盤蓋２５がさらにスライドし、後蓋ガイドシャフト３６が後蓋案内溝２４の直線部２４ａから湾曲部２４ｂに移行すると、図６（ａ）に示すように、後蓋２７が湾曲部２４ｂに沿って下方に案内され、前蓋２６に対して下方に回動することにより、鍵盤蓋２５が山形に折れ曲がる。
【００４１】
その後、鍵盤蓋２５がさらにスライドし、ダブルピニオン３９が第１ラック２３の後端部まで移動したときに、鍵盤蓋２５が開放位置に達し、演奏部６が開放される（図６（ｂ））。この開放状態では、第２ラック３３の前端部は第１ラック２３の後端部付近に位置しており、この部分にダブルピニオン３９が位置している。これは、前述したように、第１および第２ピニオン４１，４２の径の比Ｄ１／Ｄ２と第１および第２ラック２３，３３の長さの比Ｌ１／Ｌ２がほぼ等しいという関係から、ダブルピニオン３９による鍵盤蓋２５の送出し長さが、第２ラック３３の長さとほぼ等しいためである。
【００４２】
また、この開放状態では、後蓋ガイドシャフト３６は後蓋案内溝２４の湾曲部２４ｂの下縁に当接し、前蓋ガイドピン３０は前蓋ガイド２１の水平部２１ｃに位置している。前述したように、水平部２１ｃは水平に対して若干後ろ下がりに傾斜しているため、鍵盤蓋２５は、前方にスライドすることなく、開放位置に安定して保持される。
【００４３】
一方、この開放状態から鍵盤蓋２５を前方に引くと、上記と逆の動作によって、鍵盤蓋２５は、閉鎖位置までスライドし、演奏部６を閉鎖する。
【００４４】
以上のように、本実施形態によれば、第１ラック２３が前後方向に直線的に延びるとともに、鍵盤蓋２５が第１ラック２３に沿ってスライドする間に、その開閉動作が終了するので、鍵盤蓋２３の開閉動作が１アクションで滑らかになる。このため、鍵盤蓋２５をその開放動作の全体にわたってほぼ一定の操作力で前後方向にスライドさせることができ、鍵盤蓋２５を容易に開閉することができる。
【００４５】
また、ダブルピニオン３９は、鍵盤蓋２５を開放する際、鍵盤蓋２５を後方に駆動し、送り出すとともに、鍵盤蓋２５を閉鎖する際には、鍵盤蓋２５を前方に送り出す。このようなダブルピニオン３９による鍵盤蓋２５の送出し長さの分、鍵盤蓋２５の操作ストロークを短くすることができ、それにより、鍵盤蓋２５を効率良く開閉することができる。
【００４６】
また、第２ラック３３が後蓋２７の前後方向の全体にわたって配置されているので、後蓋２７の前後方向の長さとほぼ等しい鍵盤蓋２５の送出し長さを得ることができ、鍵盤蓋２５の送出し機能を効果的に発揮させることができる。
【００４７】
また、前述したような第１および第２ピニオン４１，４２の径の比と第１および第２ラック２３，３３の長さの比がほぼ等しいという関係から、鍵盤蓋２５が閉鎖位置と開放位置の間で移動したときに、第２ラック３３の長さとほぼ等しい鍵盤蓋２５の送出し長さを得ることができ、第２ラック３３の長さを最大限に活用しながら、鍵盤蓋２５の送出し機能をより確実に発揮させることができる。
【００４８】
また、前蓋３５が前蓋案内溝２１ｄで案内されるとともに、後蓋２７が後蓋案内溝２４で案内されるので、鍵盤蓋２５の円滑な開閉動作を確保することができる。さらに、前蓋ガイド２１の傾斜部２１ａが前後方向に斜めに延びているため、例えば、鍵盤蓋２５を開放する際、前蓋２６が誤って上方に持ち上げるように操作された場合でも、鍵盤蓋２５の動きが前蓋案内溝２１ｄで規制されることによって、鍵盤蓋２５の損傷・破損を防止することができる。
【００４９】
また、鍵盤蓋２５を開放する際、後蓋２７が、湾曲部２４ｂで案内され、下方に回動することにより、鍵盤蓋２５の前後方向の長さが短くなるため、鍵盤蓋２５をコンパクトに収納することができる。このため、鍵盤蓋２５の短縮長さ分、ピアノ１の前後方向の長さを短くすることができ、ピアノ１をコンパクト化することができる。
【００５０】
なお、本発明は、説明した実施形態に限定されることなく、種々の態様で実施することができる。例えば、実施形態では、上面に歯２３ａを有する第１ラック２３が下側に、下面に歯３３ａを有する第２ラック３３が上側に配置されているが、この配置を上下逆にしてもよい。
【００５１】
また、実施形態は、本発明を電子ピアノに適用した例であるが、これに限らず、スライド式の鍵盤蓋を有する他の鍵盤楽器、例えば、電子オルガンやシンセサイザなどにも適用することができる。その他、本発明の趣旨の範囲内で、細部の構成を適宜、変更することが可能である。
【符号の説明】
【００５２】
１  電子ピアノ（鍵盤楽器）
３  腕木
４  鍵盤
６  演奏部
７  鍵盤蓋装置
２１ｄ  前蓋案内溝
２３  第１ラック
２３ａ  歯
２４  後蓋案内溝
２５  鍵盤蓋
２６  前蓋
２７  後蓋
３０  前蓋ガイドピン（前ガイド突起）
３３  第２ラック
３３ａ  歯
３６  後蓋ガイドシャフト（後ガイド突起）
３８  回転軸
３９  ダブルピニオン（回転体）
４１  第１ピニオン
４２  第２ピニオン
Ｌ１  第１ラックの長さ
Ｌ２  第２ラックの長さ
Ｄ１  第１ピニオンの径
Ｄ２  第２ピニオンの径
Ｄ１／Ｄ２  第１ピニオンの径と第２ピニオンの径との比
Ｌ１／Ｌ２  第１ラックの長さと第２ラックの長さとの比
【図１】
0005567811.tif 000002
【図２】
0005567811.tif 000003
【図３】
0005567811.tif 000004
【図４】
0005567811.tif 000005
【図５】
0005567811.tif 000006
【図６】
0005567811.tif 000007